(57)【要約】【課題】自立式の折りたたみ容器において、内容物の重みで容器本体が変形しにくく、取っ手を持って容器に口を付けて内容物を飲む場合に容器の角部が口に当たることがないようにする。【解決手段】自立させることができる折りたたみ容器１において、立壁部２の両側端部に、横方向に突出する突出片１０をそれぞれ設け、各突出片１０の突出長さの合計が、立壁部２の横幅よりも長くなるように形成する。各突出片１０には、各突出片同士を固定するための固定部５を設け、各突出片１０を立壁部２の表面側又は裏面側の同じ側に折り曲げ、各突出片１０の固定部５を固定することにより、各突出片１０の固定部５よりも先端側を取っ手７として利用可能とする。【選択図】図１
2011084318.tif 000002
【特許請求の範囲】
【請求項１】
表面部材と裏面部材の両側端部を溶着し上部を開口可能に形成した立壁部と、前記立壁部の下部を底面部材によって塞いだ底部とを備え、
前記底面部材を折りたたんで前記表面部材及び裏面部材の内面を重ね合わせ、全体を面状に潰れた状態にすることができるとともに、前記底面部材を広げて前記表面部材及び裏面部材の内側に空隙を作り前記立壁部を膨らませた状態で、前記底部を下にして自立させることができる折りたたみ容器において、
前記立壁部の両側端部に、横方向に突出する突出片をそれぞれ設けるとともに、前記各突出片の突出長さの合計が、前記立壁部の横幅よりも長くなるように形成し、
前記各突出片には、各突出片同士を固定するための固定部を設け、
前記各突出片を双方の突出先端部側が合わさる方向に曲げ、前記立壁部の表面側又は裏面側において前記各突出片の固定部を固定することにより、前記各突出片の固定部よりも先端側を取っ手として利用可能としたことを特徴とする折りたたみ容器。
【請求項２】
表面部材及び裏面部材の両側端部を溶着し上部を開口可能に形成した立壁部と、前記立壁部の下部を底面部材によって塞いだ底部とを備え、
前記底面部材を折りたたんで前記表面部材及び裏面部材の内面を重ね合わせ、全体を面状に潰れた状態にすることができるとともに、前記底面部材を広げて前記表面部材及び裏面部材の内側に空隙を作り前記立壁部を膨らませた状態で、前記底部を下にして自立させることができる折りたたみ容器において、
前記立壁部の一方の側端部に、横方向に突出する突出片を２つ設けるとともに、前記各突出片の突出長さが、前記立壁部の横幅よりも長くなるように形成し、
前記各突出片には、各突出片と前記立壁部とを固定するための固定部を設け、
前記各突出片のうち一方を前記立壁部の表面側に、他方を裏面側に曲げ、前記立壁部の反突出片側の端部において前記各突出片の固定部を固定することにより、前記各突出片の固定部よりも先端側を取っ手として利用可能としたことを特徴とする折りたたみ容器。
【請求項３】
表面部材及び裏面部材から成り側端部の少なくとも一方が溶着されているとともに上部を開口可能に形成した立壁部と、前記立壁部の下部を底面部材によって塞いだ底部とを備え、
前記底面部材を折りたたんで前記表面部材及び裏面部材の内面を重ね合わせ、全体を面状に潰れた状態にすることができるとともに、前記底面部材を広げて前記表面部材及び裏面部材の内側に空隙を作り前記立壁部を膨らませた状態で、前記底部を下にして自立させることができる折りたたみ容器において、
前記立壁部の溶着されている一方の側端部に、横方向に突出し前記立壁部の横幅よりも短く形成された短尺突出片と、短尺突出片と同方向に突出し前記立壁部の横幅の２倍の長さよりも長くなるように形成された長尺突出片とを設け、
前記各突出片には、各突出片同士を固定するための固定部を設け、
前記長尺突出片を前記立壁部の外周に巻き付け、前記立壁部の溶着されている一方の側端部において前記各突出片の固定部を固定することにより、前記各突出片の固定部よりも先端側を取っ手として利用可能としたことを特徴とする折りたたみ容器。
【発明の詳細な説明】
【技術分野】
【０００１】
この発明は、取っ手付きの折りたたみ可能な容器に関するものである。
【背景技術】
【０００２】
携帯用の紙（又はプラスチック）製のコップは、持ち運びの際にかさばる、変形するといった問題点がある。そのような問題を解決するものとして、特許文献１には、プラスチックフィルムを溶着して形成した自立式のガゼット袋に取っ手を付けて折りたたみコップとする発明が開示されている。
【先行技術文献】
【特許文献】
【０００３】
【特許文献１】特開２００５−２９２４９号公報
【発明の概要】
【発明が解決しようとする課題】
【０００４】
しかし、上記した従来の取っ手付き折りたたみコップは、取っ手を袋の表面に後付けで形成してあるので、コップの内容物を飲むために口をつける位置が、袋側端の溶着部分になってしまい、これを避けるためにコップの向きを変えると、取っ手を掴んだ手が不自然な格好になって甚だ飲み難い。また、折りたたまれている取っ手は広げにくいだけでなく、取っ手が片面のみに付いているので、取っ手を持ったときに容器内に入れた内容物の重みで容器が変形しやすいという難点がある。
そこで本願発明は、内容物の重みで容器本体が変形しにくく、取っ手を持って容器に口を付けて内容物を飲む場合に容器の角部が口に当たることのないようにした取っ手付きの折りたたみ容器を提供することを目的とする。
【課題を解決するための手段】
【０００５】
本願発明の特徴点を、図面に示した発明の実施の形態を用いて、以下に説明する。
なお、括弧内の符号及び図面番号は、発明の実施の形態において用いた符号及び番号を示し、本願発明の技術的範囲を限定するものではない。
（請求項１）
請求項１記載の発明は、表面部材(2A)及び裏面部材(2B)の両側端部を溶着し上部を開口可能に形成した立壁部(2)と、前記立壁部(2)の下部を底面部材(3A)によって塞いだ底部(3)とを備え、前記底面部材(3A)を折りたたんで前記表面部材(2A)及び裏面部材(2B)の内面を重ね合わせ、全体を面状に潰れた状態にすることができるとともに、前記底面部材(3A)を広げて前記表面部材(2A)及び裏面部材(2B)の内側に空隙を作り前記立壁部(2)を膨らませた状態で、前記底部(3)を下にして自立させることができる折りたたみ容器に係る。
【０００６】
そして、この折りたたみ容器は、前記立壁部(2)の両側端部に、横方向に突出する突出片(10)をそれぞれ設けるとともに、前記各突出片(10)の突出長さの合計が、前記立壁部(2)の横幅よりも長くなるように形成してある。また、前記各突出片(10)には、各突出片(10)同士を固定するための固定部(5)を設け、前記各突出片(10)を双方の突出先端部側が合わさる方向に曲げ、前記立壁部(2)の表面側又は裏面側において前記各突出片(10)の固定部(5)を固定することにより、前記各突出片(10)の固定部(5)よりも先端側を取っ手(7)として利用可能としたことを特徴とする。
前記突出片(10)は、表面部材(2A)及び裏面部材(2B)と一体形成されていてもよいし、表面部材(2A)と裏面部材(2B)に挟み込まれる別部材であってもよい。突出片(10)を設ける高さ位置は、立壁部(2)の上端付近とするのが好ましい。また、突出片(10)の突出長さは、二つの突出片(10)の突出長さの合計が立壁部(2)の横幅よりも長くなればよく、それぞれの突出片(10)の長さは、立壁部(2)の横幅と等しいかやや短い長さとするのが好ましい。
【０００７】
前記固定部(5)は、突出片(10)の立壁部(2)との付け根から突出先端部までの間に設けられ、突出片(10)に設けた他方の突出片(10)を差し込み可能な切り込み部(11)や、突出片(10)のそれぞれに設けた雄部材及び雌部材からなるホック(13)又は面ファスナーとすることができる。各突出片(10)における固定部(5)の位置は、容器本体(1)を構成する素材の硬度にもよるが、立壁部(2)の付け根からの長さが立壁部(2)の横幅の約半分程度とするのが好ましい。要は、立壁部(2)を膨らませた状態で二つの突出片(10)を立壁部(2)の中心側に折り曲げたときに、双方の固定部(5)を無理なく固定できる位置であればよい。
本発明によれば、取っ手(7)を形成する突出片(10)が、立壁部(2)の両側の溶着された側端部で容器の重さをバランスよく支えることになるので、強度的にも優れ、容器が変形しにくくなる。また、二つの突出片(10)をそれぞれ立壁部(2)の同一面側で中心方向に曲げて固定するようになっているため、立壁部(2)の溶着部分の角部が突出片(10)の曲げに伴い横向きになり、立壁部(2)の縁に口をつけて内容物を飲むときの邪魔にならない。
【０００８】
（請求項２）
請求項２記載の発明は、請求項１記載の発明と同様に、表面部材(2A)及び裏面部材(2B)の両側端部を溶着し上部を開口可能に形成した立壁部(2)と、前記立壁部(2)の下部を底面部材(3A)によって塞いだ底部(3)とを備え、前記底面部材(3A)を折りたたんで前記表面部材(2A)及び裏面部材(2B)の内面を重ね合わせ、全体を面状に潰れた状態にすることができるとともに、前記底面部材(3A)を広げて前記表面部材(2A)及び裏面部材(2B)の内側に空隙を作り前記立壁部(2)を膨らませた状態で、前記底部(3)を下にして自立させることができる折りたたみ容器に係る。
【０００９】
そして、本発明においては、前記立壁部(2)の一方の側端部に、横方向に突出する突出片(10)を２つ設けるとともに、前記各突出片(10)の突出長さが、前記立壁部(2)の横幅よりも長くなるように形成し、前記各突出片(10)には、各突出片(10)と前記立壁部(2)とを固定するための固定部(5(ホック13))を設けてある。そして、前記各突出片(10)のうち一方を前記立壁部(2)の表面側に、他方を裏面側に折り曲げ、前記立壁部(2)の反突出片側の端部において前記各突出片(10)の固定部(5,13)を固定することにより、前記各突出片(10)の固定部(5,13)よりも先端側を取っ手として利用可能としたことを特徴とする。
本発明では、突出片(10)は立壁部(2)の一方の側端部に２つ、好ましくは同じ高さ位置に重ねて設けられている。
【００１０】
ここで、本発明では、各突出片(10)同士を固定することにより結果として突出片(10)と立壁部(2)が固定されるようにしてもよい。すなわち、立壁部(2)の反突出片側の端部に、各突出片(10)の固定部(5)を固定可能とする固定部(5(貫通孔21))を設けてもよい。
本発明によれば、取っ手(7)が立壁部(2)側端部に形成されるので、取っ手(7)を持ったときに、自然な体勢で立壁部(2)の面部分（側端部の溶着部分ではない部分）に口を付けることができる。
（請求項３）
請求項３記載の発明は、表面部材(2A)及び裏面部材(2B)から成り側端部の少なくとも一方が溶着されているとともに上部を開口可能に形成した立壁部(2)と、前記立壁部(2)の下部を底面部材(3A)によって塞いだ底部(3)とを備え、前記底面部材(3A)を折りたたんで前記表面部材(2A)及び裏面部材(2B)の内面を重ね合わせ、全体を面状に潰れた状態にすることができるとともに、前記底面部材(3A)を広げて前記表面部材(2A)及び裏面部材(2B)の内側に空隙を作り前記立壁部(2)を膨らませた状態で、前記底部(3)を下にして自立させることができる折りたたみ容器に係る。
【００１１】
本発明における立壁部(2)は、表面部材(2A)と裏面部材(2B)の両方の側端部が溶着されたものの他、表面部材(2A)と裏面部材(2B)が一体形成されており一方の側端部のみが溶着されているものも含まれる。
そして、本発明においては、前記立壁部(2)の溶着されている一方の側端部に、横方向に突出し前記立壁部(2)の横幅よりも短く形成された短尺突出片(10E)と、短尺突出片(10E)と同方向に突出し前記立壁部(2)の横幅の２倍の長さよりも長くなるように形成された長尺突出片(10F)とを設け、前記各突出片(10)には、各突出片同士を固定するための固定部(5)を設け、前記長尺突出片(10F)を前記立壁部(2)の外周に巻き付け、前記立壁部(2)の溶着されている一方の側端部において前記各突出片(10)の固定部(5)を固定することにより、前記各突出片(10)の固定部よりも先端側を取っ手(7)として利用可能としたことを特徴とする。
【００１２】
本発明は、長尺突出片(10F)を立壁部(2)の反突出片側端部に折り曲げさらに突出片側端部に折り返し、溶着されている側端部で短尺突出片(10E)と固定するようにしたものである。本発明によれば、長尺突出片(10F)が立壁部(2)の周囲に巻き付けられるので、取っ手(7)の強度が保たれるとともに容器の補強にもなる。
【発明の効果】
【００１３】
各請求項に記載の発明によれば、内容物の重みで容器本体が変形しにくく、取っ手を持って容器に口を付けて内容物を飲む場合に容器の角部が口に当たることのない取っ手付きの折りたたみ容器を提供することができる。
【図面の簡単な説明】
【００１４】
【図１】本発明の第一の実施の形態であって、容器の使用状態を示す斜視図である。
【図２】第一の実施の形態に係る容器の突出片をひろげた正面図である。
【図３】第一の実施の形態に係る容器の突出片を折りたたんだ正面図である。
【図４】第一の実施の形態に係る容器の折りたたんだ状態、膨らませた状態、及び使用状態の平面図である。
【図５】本発明の第二の実施の形態であって、容器の使用状態を示す斜視図である。
【図６】第二の実施の形態に係る容器の突出片をひろげた正面図である。
【図７】第二の実施の形態に係る容器の使用状態の平面図である。
【図８】本発明の第三の実施の形態であって、容器の使用状態を示す斜視図である。
【図９】第三の実施の形態に係る容器の突出片をひろげた正面図である。
【図１０】第三の実施の形態に係る容器の使用状態の平面図である。
【発明を実施するための形態】
【００１５】
本発明の好適な実施の形態を、第一乃至第三の実施の形態に分けて、図面に基づき説明する。
（第一の実施の形態）
図１乃至図４は、本発明の第一の実施の形態を示す。
（容器本体１）
容器本体１は、図１に示すように、表面部材2A及び裏面部材2B及からなる立壁部２と、底面部材3Aからなる底部３を溶着して形成した折りたたみ可能な自立型容器である。すなわち、表面部材2Aと裏面部材2Bは、左右の端部が側方溶着部20によって一体化され、表面部材2A及び裏面部材2Bの下端部と底面部材3Aの周囲は、底部溶着部30によって一体化されている。そして、表面部材2Aと裏面部材2Bの間の上部に開口部６が形成されるようになっている。なおここで、表面部材2A及び裏面部材2Bの「表」「裏」は、立壁部２のいずれかの面を表面としたら他の面が裏面となるものであって、部材を特定するために用いている表現である。
【００１６】
容器本体１は、面状に折りたたんだ状態では、表面部材2Aと裏面部材2Bが重なって開口部６を閉じ、底面部材3Aは表面部材2Aと裏面部材2Bの間で二つ折りになっている。そして、表面部材2Aと裏面部材2Bの間を広げて開口部６を開け、底面部材3Aを広げると、立壁部２が膨らんで内部に液体や固体を収容することができ、かつ底部３を下にして立てて置くことができるようになる。
また、表面部材2Aと裏面部材2Bの開口部６側には、ジッパー４が設けられており、容器内に内容物を入れたままで、開口部６を閉じることができるようになっている。
（突出片10）
さらに、立壁部２の両側には、図２に示すように、側端部から水平方向に突出する突出片10が形成されている。この突出片10は、側方溶着部20と連続して形成されており、表面部材2Aと裏面部材2Bにそれぞれ設けられた左側突出片10A及び右側突出片10Bが２枚重ねになっているものである。また、突出片10の高さ位置は、突出片10の下端部が立壁部２の高さ方向の中央よりも上側となり、突出片10の上端部が立壁部２の上端よりも下側となるように形成されている。
【００１７】
なお、左側突出片10A及び右側突出片10Bの「左」「右」は、表面部材2Aを正面とした場合の左右であって、部材を特定するために用いている表現である。
ここで、突出片10の長さＬは、立壁部２の横幅Ｗよりもやや短く形成されている（図３参照）。そして、左右の突出片10の長さＬの合計は横幅Ｗよりも長くなっている。また、突出片10の長さ方向略中央部には、突出片10の高さ方向略中央部まで垂直に切り込んだ、固定部５としての切り込み部11が形成されている。具体的には、左側突出片10Aには、下方から切り込んだ切り込み部11Aが、右側突出片10Bには、上方から切り込んだ切り込み部11Bが、それぞれ形成されている。
【００１８】
なお、左側突出片10Aに上方から切り込んだ切り込み部11を設け、右側突出片10Bに下方から切り込んだ切り込み部11を設けても良い。切り込み部11の形状は、図示したものに限られず、一方のスリットに他方の舌片型に切り込んだ部分を係合させるものでもよい。また、固定部５としては切り込み部11に限られず、雌雄部材から成るホックや面ファスナーとしてもよい。
突出片10は、不使用時には、図３に示すように立壁部２側に折りたたむことができ、容器本体１に物を入れる場合には、図１に示すように、左側突出片10Aと右側突出片10Bを切り込み部11の部分で係合させ、取っ手７を形成することができるようになっている。
【００１９】
なお、容器本体１は、プラスチックフィルム、アルミなどの耐水性の素材で構成するのが好ましい。さらに、容器内に入れる内容物に応じて、保温性、耐熱性をさらに備えた素材を用いれば、より好適である。
（容器本体１の使用方法）
上記構成を有する容器本体１の使用方法について詳述する。
容器本体１は、不使用時（搬送時、保管時）においては、底面部材3Aをたたんで立壁部２を面状に潰し、図３及び図４（Ａ）に示すように、左右の突出片10は内側に折り曲げ、ジッパー４を閉めておく。突出片10の長さＬは立壁部２の横幅Ｗよりもやや短いので、折りたたんだ突出片10を重ねやすい。またこの状態では、全体の横幅は立壁部２の横幅Ｗに収まり、厚さも１〜２ミリ程度である。このため、重ねてもかさばらず、持ち運びや保管に便利である。
【００２０】
容器本体１を例えばコップとして使用する場合には、突出片10を左右に開き、ジッパー４を開いて開口部６を開けて膨らませ（図４(Ｂ)参照）、中に水などを注入する。そうすると内容物の重みで底面部材3Aが押されて底部３が楕円状に広がり、安定して起立させておくことができる。
また、左右の突出片10を組み合わせて、取っ手７を形成することができる。すなわち、左側突出片10Aの切り込み11Aを右側突出片10Bの切り込み11Bの上から嵌め込んで、立壁部２の表面側（又は裏面側）で、左側突出片10Aと右側突出片10Bをクロスさせた状態で固定する（図１及び図４(Ｃ)参照）と、クロスさせた固定箇所よりも先端側が取っ手７となる。
【００２１】
このようにして形成された取っ手７は、突出片10をクロスさせることにより剛性が生じると共に、固定箇所から連続している突出片10の付け根側が、強度の高い側方溶着部20の部分で容器本体１を支えることになるので、手で持ったとき、内容物の重みによる立壁部２の変形（一方側が伸びる）や、容器の傾き（一方側が下がる）を抑止することができる。これにより、容器本体１を持ち上げる際に内容物が零れるなどのトラブルを回避することができる。
さらに、左側突出片10Aと右側突出片10Bを立壁部２の中心に向かって折り曲げると、図１及び図４(Ｃ)に示すように、立壁部２の側端部が突出片10に引っ張られて、一方の壁部（図示した例では表面部材2A）の側端部が他方の壁部（裏面部材2B）に巻き込まれるように屈曲し、他方の壁部（裏面部材2B）の側端部はその外側に覆い被さるように重なった重なり部12が形成される。この重なり部12が形成されることにより、取っ手７を持ったときに対面側となる側方溶着部20の上端角部が横向きになり、立壁部２の上縁に口を付けて内容物を飲むときに角部が口に当たることがないのである。
【００２２】
なお、図３に示した例では、切り込み部11は、突出片10を折りたたんだときに突出片10の付け根部分から立壁部２の幅方向の中心よりもやや外側となるような位置に形成してあるが、この位置は、容器本体１に用いる素材の硬度に応じて、取っ手７を形成したときに重なり部12を発生させることができるような位置とすることが望ましい。また、突出片10の（特に上端部の）高さ位置も、取っ手７を形成したときに重なり部12を発生させることができるような位置とすることが望ましい。例えば、底部３の近くに突出片10を形成した場合には、重なり部12が発生しなくなる。
容器本体１をコップとして使用中において、内容物が残ったまま移動等する場合には、ジッパー４を閉めて開口部６を塞いでおけば、中身が零れることもなく、埃等が入ることもない。さらに、立壁部２の上端付近に設けた貫通孔14（図２参照）に紐などを通しておけば、持ち運びに便利である。使用後は、突出片10の係合を解除してもとのように折りたたむことができ、当然ながら、再使用可能である。
【００２３】
このように、第一の実施の形態によれば、強度的にも優れているだけでなく、安全性にも優れ、使用時の持ち運びにも便利な折りたたみ容器を提供することができる。
ところで、容器本体１の製造時において、内部に予め粉末状の食品（スープ、コーヒーなど）をいれておき、立壁部２の上端部を溶着した（開口部６を密閉した）状態で販売等することもできる。この場合には、上端の溶着部を切り取って開口部６を開き、容器内にお湯などを入れて内容物を飲食した後、容器本体１を廃棄しないで携帯用容器として再利用することができる。
（第二の実施の形態）
図５乃至図７は、本発明の第二の実施の形態を示す。
【００２４】
第二の実施の形態に係る容器本体１は、取っ手７となる突出片10を、立壁部２の片側の側端部に設けたものである。ここで、容器本体１の構成及び使用方法のうち、第一の実施の形態と同様の部分は説明を省略し、本実施の形態の特徴点のみ述べる。
第二の実施の形態における突出片10は、図６に示すように、立壁部２の一方側の側端部から水平方向に形成されている。この突出片10は、図５及び図７に示すように、表面部材2Aに設けられた表側突出片10Cと、裏面部材2Bに設けられた裏側突出片10Dからなり、２つの突出片10は同形状で重ね合わせることができるものの、溶着はされておらず分離可能である。また、突出片10の長さＬは、立壁部２の横幅Ｗよりも長く形成されている。
【００２５】
そして、突出片10の突出側先端付近には、固定部５としてのホック13が設けられている。ホック13は、詳細は特に図示しないが、表側突出片10C又は裏側突出片10Dのいずれか一方に設けられた雄部材と、他の一方に設けられた雌部材とからなり、それぞれ、突出片10の外側面（表面部材2A及び裏面部材2Bの外面と同じ面）に接着又は溶着されている。
一方、立壁部２の反突出部側の側方溶着部20には、前記ホック13の直径よりもやや大きい内径の貫通孔21が形成されている。この貫通孔21は、２枚の突出片10の間に側方溶着部20を挟んだ状態でホック13の雄部材と雌部材を係合させるためのものであり、突出片10と側方溶着部20を固定する固定部５として機能するものである。
【００２６】
なお、固定部５としては、切り込み部を設けても良いし、面ファスナーを設けても良い。
本実施の形態において、容器本体１の使用時には、図５及び図７に示すように、表側突出片10Cを表面部材2A側に折り曲げ、裏側突出片10Dを裏面部材2B側に折り曲げ、立壁部２の反対側で２つの突出片10を合わせてホック13を止めることにより、取っ手７を形成することができるようになっている。この際、側方溶着部20の貫通孔21のところでホック13を止めることにより、２つの突出片10と側方溶着部20とが固定される。
一方、容器本体１の不使用時においては、突出片10は、図６に二点鎖線で示すように、２枚を合わせて立壁部２側に折りたたんでおく。立壁部２の側端部からはみ出す部分については、側端部を巻き込むようにしてさらに立壁部２側に折りたたむか、側端部で折り返しておけばよい。
【００２７】
第二の実施の形態によれば、取っ手７が、立壁部２の側方溶着部20側に形成されるので、取っ手７を持って開口部６の縁部に口を付けて内容物を飲む場合に、立壁部２の中央部に口を付けて飲む動作を自然に行うことができる。また、突出片10を立壁部２に巻き付けるようにして取っ手７を形成し、かつ突出片10の先端側を立壁部２に固定してあるので、取っ手７を手に取り容器本体１を持ち上げる場合でも、突出片10が立壁部２を両側から把持し、突出片10が２枚重ねになっていなくても強度的に問題はない。
ここで、上記のように立壁部２に固定部５を設ける構成とする場合、表側突出片10C及び裏面突出片10Dを溶着して一体化し、一体化した突出片10を立壁部２の表面側又は裏面側のいずれか一方に折り曲げ、その先端側を立壁部２の反突出片側の側方溶着部20に固定することもできる。例えば、側方溶着部20に設けたスリットに突出片10の先端を差し込んで、スリットから突出する先端側を取っ手として使用するように形成することもできる。ただ、容器本体１を持ち上げるときの安定性を勘案し、突出片10の高さ幅を大きく（例えば立壁部２の高さの半分程度）形成するのがよい。
【００２８】
またここで、立壁部２に設けた２枚の突出片10を立壁部２の表裏面側にそれぞれ折り曲げ、立壁部２の反突出片側で突出片10同士を固定して取っ手７を形成することもできる。ただしこの場合にも、容器本体１を持ち上げるときの安定性を勘案し、突出片10の高さ幅を大きく形成するのがよい。
（第三の実施の形態）
図８乃至図１０は、本発明の第三の実施の形態を示す。
第三の実施の形態に係る容器本体１は、長さの異なる突出片10を立壁部２の片側の側端部に設け、長い方の突出片を立壁部２の外周に巻き付け、短い方の突出片10に重ね合わせて取っ手７を形成したものである。ここで、容器本体１の構成及び使用方法のうち、第一の実施の形態と同様の部分は説明を省略し、本実施の形態の特徴点のみ述べる。
【００２９】
第三の実施の形態における突出片10は、図９に示すように、表面部材2Aに設けられた短尺突出片10Eと、裏面部材2Bに設けられた長尺突出片10Fからなり、２つの突出片10は溶着はされておらず分離可能である。また、短尺突出片10Eの長さＬ１は、立壁部２の横幅Ｗよりも短く、長尺突出片10Fの長さＬ２は、立壁部２の横幅Ｗの２倍よりも長く形成されている。そして、各突出片10の突出側先端付近には、固定部５としてのホック13が設けられている。なお、固定部５としては、切り込み部を設けても良いし、面ファスナーを設けても良い。
一方、立壁部２の反突出部側の側方溶着部20には、長尺突出片10Fを差し込むことができる切り込み部22が形成されている。この切り込み部22は、長尺突出片10Fを立壁部２の周囲に巻き付ける際に長尺突出片10Fと側方溶着部20を固定する固定部５として機能するものであり、長尺突出片10Fの上下方向の位置がずれないようにするためのものである。
【００３０】
本実施の形態において、容器本体１の使用時には、図８及び図１０に示すように、長尺突出片10Fを裏面部材2B側に折り曲げ、立壁部２の反突出片側の側方溶着部20に設けられた切り込み部22に差し込み、さらに表面部材2A側に折り返す。そして、長尺突出片10Fのホック13と、立壁部２を一周させた長尺突出片10Fのホック13とを係合させることにより、取っ手７を形成することができるようになっている。容器本体１の不使用時においては、長尺突出片10Fを立壁部２の周囲に巻き付けておけばよい。
第三の実施の形態によれば、第二の実施の形態と同様の効果を得ることができる。
ところで、第三の実施の形態においては、表面部材2Aと裏面部材2Bが一連になった１枚のシートを用いて立壁部２を形成するようにしてもよい。すなわち、特に図示しないが、両端部に短尺突出片10Eと長尺突出片10Fとがそれぞれ設けられた１枚のシートを二つ折りにして端部を溶着し、一方の側端部から２つの突出片10が突出した立壁部２を形成するものである。このように形成した場合には、長尺突出片10Fと立壁部２とを側方溶着部20の反対側の側端部で固定することはできないが、突出片10の高さ幅を大きくすれば、容器本体１を持ち上げるときの安定性が確保される。
【００３１】
なお、上記した第一乃至第二の実施の形態においては、開口部６を塞ぐためのジッパー４を設けてあったが、本発明には、ジッパー４を備えていない容器本体１も含まれる。また、上記した各実施の形態では、突出片10を、立壁部２を構成する表面部材2A及び裏面部材2Bと一体成形してあったが、突出片10を別部材にして、表面部材2A及び裏面部材2Bの側方を溶着する際に挟み込んで取り付けるようにしてもよい。
【符号の説明】
【００３２】
１  容器本体                        ２  立壁部
2A  表面部材                        2B  裏面部材
３  底部                            3A  底面部材
４  ジッパー                        ５  固定部
６  開口部                          ７  取っ手
10  突出片                          11  切り込み部
12  重なり部                        13  ホック
14  貫通孔
20  側方溶着部                      21  貫通孔
30  底部溶着部
【図１】
2011084318.tif 000003
【図２】
2011084318.tif 000004
【図３】
2011084318.tif 000005
【図４】
2011084318.tif 000006
【図５】
2011084318.tif 000007
【図６】
2011084318.tif 000008
【図７】
2011084318.tif 000009
【図８】
2011084318.tif 000010
【図９】
2011084318.tif 000011
【図１０】
2011084318.tif 000012